(57)【要約】【課題】アナログチューナを内蔵した従来のテレビ受像機で地上波デジタルテレビ放送を受信できるようにして視聴者の負担の増大防止と社会的な廃棄物処理負担や資源の無駄の増大防止を図り、併せて、従来のテレビ受像機を複数台接続しても各テレビ受像機が任意の放送チャンネルを受信できるようにすることにある。【解決手段】複数放送チャンネルの地上波デジタルテレビ放送信号を入力する入力部２と、前記入力部が入力した地上波デジタルテレビ放送信号を放送チャンネル毎に周波数の異なる地上波アナログテレビ放送信号に変換するデジタル／アナログ変換部３と、前記デジタル／アナログ変換部が変換した互いに周波数の異なる複数の地上波アナログテレビ放送信号を混合する混合部４と、前記混合部が混合した複数の地上波アナログテレビ放送信号を出力する出力部５とを具えてなる、テレビ放送用変換器１である。【選択図】図１
0003132870.tif 000002
【実用新案登録請求の範囲】
【請求項１】
複数放送チャンネルの地上波デジタルテレビ放送信号を入力する入力部と、
前記入力部が入力した地上波デジタルテレビ放送信号を放送チャンネル毎に周波数の異なる地上波アナログテレビ放送信号に変換するデジタル／アナログ変換部と、
前記デジタル／アナログ変換部が変換した互いに周波数の異なる複数の地上波アナログテレビ放送信号を混合する混合部と、
前記混合部が混合した複数の地上波アナログテレビ放送信号を出力する出力部と、
を具えてなる、テレビ放送用変換器。
【請求項２】
前記デジタル／アナログ変換部は、
所定の放送チャンネルの地上波デジタルテレビ放送信号から画像信号と音声信号とを含むビデオ信号を復調する地上波デジタルテレビ放送チューナと、
所定の周波数の高周波信号を前記ビデオ信号で変調して地上波アナログテレビ放送信号を生成するＲＦコンバータと、
の組を、前記所定の周波数を互いに異ならせて複数組有する、請求項１記載のテレビ放送用変換器。
【請求項３】
前記混合部は、前記入力部が入力した複数放送チャンネルの地上波デジタルテレビ放送信号を前記地上波アナログテレビ放送信号に混合する、請求項１または２記載のテレビ放送用変換器。
【考案の詳細な説明】
【技術分野】
【０００１】
この考案は、地上波デジタルテレビ放送信号を地上波アナログテレビ放送信号に変換する変換器に関するものである。
【背景技術】
【０００２】
近年、地上波デジタルテレビ放送が開始されている一方、地上波アナログテレビ放送は２０１１年には終了する予定である。そこで、従来のアナログチューナを内蔵したテレビ受像機を用いて地上波アナログテレビ放送を受信していた視聴者は、デジタルチューナを内蔵したテレビ受像機に買い換えるか、もしくは従来のアナログチューナを内蔵したテレビ受像機にデジタルチューナを外付けするか、または地上波アナログテレビ放送のビデオ信号を配信しているケーブルテレビ局と契約して、ケーブルテレビ局に接続されたセットトップボックスから従来のアナログチューナを内蔵したテレビ受像機にビデオ信号を入力するかの選択を迫られることになる。
【考案の開示】
【考案が解決しようとする課題】
【０００３】
しかしながら、デジタルチューナを内蔵したテレビ受像機に買い換えるのは、視聴者にとって極めて費用が嵩むと同時に、社会的に見ても従来のアナログチューナを内蔵したテレビ受像機が短期間で大量に不要となって廃棄物の処理の問題が生じ、しかもそれ自体は未だ使用可能なテレビ受像機を大量に廃棄するのであるから社会資源に大きな無駄が生ずることになる。
【０００４】
また、外付けのデジタルチューナや、ケーブルテレビ局に接続されたセットトップボックスからビデオ信号を入力する方法では、従来のアナログチューナを内蔵したテレビ受像機は引き続き使用できるものの、任意の放送チャンネルを視聴するためにはテレビ受像機一台毎に外付けのデジタルチューナやセットトップボックスが必要になるので、多くのテレビ受像機を持つ家の他、病院や寮や集合住宅等の、一棟の建物に多くのテレビ受像機がある状況では、全体的な負担が大きいという問題がある。
【課題を解決するための手段】
【０００５】
この考案は、上記課題を有利に解決することを目的とするものであり、この考案のテレビ放送用変換器は、複数放送チャンネルの地上波デジタルテレビ放送信号を入力する入力部と、前記入力部が入力した地上波デジタルテレビ放送信号を放送チャンネル毎に周波数の異なる地上波アナログテレビ放送信号に変換するデジタル／アナログ変換部と、前記デジタル／アナログ変換部が変換した互いに周波数の異なる複数の地上波アナログテレビ放送信号を混合する混合部と、前記混合部が混合した複数の地上波アナログテレビ放送信号を出力する出力部と、を具えてなるものである。
【考案の効果】
【０００６】
かかるこの考案のテレビ放送用変換器にあっては、入力部に、地上波デジタルテレビ放送用受信アンテナや、ケーブルテレビ局に接続されたセットトップボックスのスルー端子等を接続すると、入力部が、その受信アンテナやスルー端子等から複数放送チャンネルの地上波デジタルテレビ放送信号を入力し、デジタル／アナログ変換部が、その入力した複数放送チャンネルの地上波デジタルテレビ放送信号を放送チャンネル毎に周波数の異なる地上波アナログテレビ放送信号に変換し、混合部が、その互いに周波数の異なる複数の地上波アナログテレビ放送信号を混合し、そして出力部が、その混合した複数の地上波アナログテレビ放送信号を出力する。
【０００７】
従って、この考案のテレビ放送用変換器によれば、その出力部に従来のアナログチューナを内蔵したテレビ受像機のアンテナ端子を接続することで、複数放送チャンネルの地上波デジタルテレビ放送をそれぞれアナログ放送として受信することができることから、視聴者は従来のテレビ受像機を、デジタルチューナを内蔵したものに買い換えずに、それ自体が壊れて使用できなくなるまで使用し得るので、視聴者にとって費用が安価に済むと同時に、社会的に見ても従来のアナログチューナを内蔵したテレビ受像機が短期間で大量に不要となって廃棄物の処理の問題が生するのを回避でき、しかもそれ自体は未だ使用可能なテレビ受像機を大量に廃棄して社会資源に大きな無駄が生ずることも回避することができる。
【０００８】
しかもこの考案のテレビ放送用変換器によれば、その出力部が、互いに周波数が異なる複数の地上波アナログテレビ放送信号が混合された信号を出力することから、従来のアナログチューナを内蔵したテレビ受像機を出力部に複数台接続しても、各テレビ受像機は従来通り任意の放送チャンネルを受信することができるので、多くのテレビ受像機を持つ家の他、病院や寮や集合住宅等の、一棟の建物に多くのテレビ受像機がある状況でも、この考案のテレビ放送用変換器一台で、従来のアナログチューナを内蔵した全てのテレビ受像機に共用し得て、そのような状況での全体的な負担も僅かで済ませることができる。
【０００９】
なお、この考案のテレビ放送用変換器においては、前記デジタル／アナログ変換部は、所定の放送チャンネルの地上波デジタルテレビ放送信号から、画像信号と音声信号とを含むビデオ信号を復調する地上波デジタルテレビ放送チューナと、所定の周波数の高周波信号を前記ビデオ信号で変調して地上波アナログテレビ放送信号を生成するＲＦコンバータと、の組を、前記所定の周波数を互いに異ならせて複数組有していても良く、このようにすれば、何れも市販されている地上波デジタルテレビ放送チューナとＲＦコンバータとを利用してこの考案のテレビ放送用変換器の大部分を構成できるので、この考案のテレビ放送用変換器を容易かつ安価に製造することができる。
【００１０】
また、この考案のテレビ放送用変換器においては、前記混合部は、前記入力部が入力した複数放送チャンネルの地上波デジタルテレビ放送信号を前記地上波アナログテレビ放送信号に混合しても良く、このようにすれば、その出力部に、デジタルチューナを内蔵したテレビ受像機のアンテナ端子を接続した場合でも、この考案のテレビ放送用変換器をそのまま通過（スルー）した地上波デジタルテレビ放送信号を、そのデジタルチューナを内蔵したテレビ受像機で受信できるので、一棟の建物に多くのテレビ受像機がある場合にそこにデジタルチューナを内蔵したテレビ受像機と従来のアナログチューナを内蔵したテレビ受像機とが混在していても、何れのテレビ受像機でも不都合なく地上波デジタルテレビ放送を視聴することができる。
【考案を実施するための最良の形態】
【００１１】
以下、本考案の実施の形態を実施例によって、図面に基づき詳細に説明する。ここに、図１は、この考案のテレビ放送用変換器の一実施例の構成を示すブロック線図、図２は、その実施例のテレビ放送用変換器の使用方法の一例を示す説明図、図３は、その実施例のテレビ放送用変換器の使用方法の他の一例を示す説明図であり、図中符号１は、この実施例のテレビ放送用変換器を示す。
【００１２】
この実施例のテレビ放送用変換器１は、図１に示すように、複数放送チャンネルの地上波デジタルテレビ放送信号を入力する、入力部としての入力端子２と、その入力端子２が入力した地上波デジタルテレビ放送信号を放送チャンネル毎に周波数の異なる地上波アナログテレビ放送信号に変換するデジタル／アナログ変換部３と、そのデジタル／アナログ変換部３が変換した互いに周波数の異なる複数の地上波アナログテレビ放送信号を混合する、混合部としてのＶＨＦ／ＶＨＦ（Ｖ／Ｖ）混合器４と、そのＶ／Ｖ混合器４が混合した複数の地上波アナログテレビ放送信号を出力する、出力部としての出力端子５と、それらデジタル／アナログ変換部３とＶ／Ｖ混合器４とに電源を供給する図示しない電源部とを具えている。
【００１３】
ここで、デジタル／アナログ変換部３は、複数放送チャンネルの地上波デジタルテレビ放送信号を受信可能なようにその放送チャンネル数（図示例では８チャンネル）に対応させて設けた複数（図示例では８台）の地上波デジタルテレビ放送用チューナ（地デジチューナ）３ａ１〜３ａ８と、それらの地デジチューナ３ａ１〜３ａ８にそれぞれ接続された複数（図示例では８台）の高周波（ＲＦ）コンバータ３ｂ１〜３ｂ８とを有しており、地デジチューナ３ａ１は、入力端子２が入力した地上波デジタルテレビ放送信号のうちで、例えば、東京近辺地域の第２７チャンネルの地上波デジタルテレビ放送信号（高周波信号）を選択的に受信し、その地上波デジタルテレビ放送信号からビデオ信号を復調して例えばアナログ信号で出力する。そしてＲＦコンバータ３ｂ１は、その第２７チャンネルの地上波デジタルテレビ放送の放送局と同一または対応する放送局が放送している第１チャンネルの地上波アナログテレビ放送信号の周波数の高周波信号を、地デジチューナ３ａ１が出力したビデオ信号でアナログ変調して、第１チャンネルのＶＨＦ地上波アナログテレビ放送信号を生成して出力する。
【００１４】
また、地デジチューナ３ａ２は、例えば、東京近辺地域の第２６チャンネルの地上波デジタルテレビ放送信号（高周波信号）を選択的に受信し、その地上波デジタルテレビ放送信号からビデオ信号を復調して例えばアナログ信号で出力する。そしてＲＦコンバータ３ｂ２は、その第２６チャンネルの地上波デジタルテレビ放送の放送局と同一または対応する放送局が放送している第３チャンネルの地上波アナログテレビ放送信号の周波数の高周波信号を、地デジチューナ３ａ２が出力したビデオ信号でアナログ変調して、第３チャンネルのＶＨＦ地上波アナログテレビ放送信号を生成して出力する。
【００１５】
同様にして、地デジチューナ３ａ３〜３ａ８は、例えば東京近辺地域の第２５，２２，２１，２４，２３および１８チャンネルの地上波デジタルテレビ放送信号（高周波信号）をそれぞれ選択的に受信し、その地上波デジタルテレビ放送信号からビデオ信号を復調して例えばアナログ信号で出力する。そしてＲＦコンバータ３ｂ３〜３ｂ８は、それら第２５，２２，２１，２４，２３および１８チャンネルの地上波デジタルテレビ放送の放送局と同一または対応する放送局が放送している第４，６，８，１０，１２および５チャンネルの地上波アナログテレビ放送信号の周波数の高周波信号を、地デジチューナ３ａ３〜３ａ８が出力したビデオ信号でそれぞれアナログ変調して、第４，６，８，１０，１２および５チャンネルのＶＨＦ地上波アナログテレビ放送信号をそれぞれ生成して出力する。
【００１６】
Ｖ／Ｖ混合器４は、これら複数種類（図示例では８種類）の互いに周波数が異なるＶＨＦ地上波アナログテレビ放送信号を混合するとともに、そこにさらに、入力端子２が入力した複数放送チャンネルの地上波デジタルテレビ放送信号を混合して出力端子５に送り、出力端子５は、そのデジタル・アナログ混合高周波信号を出力する。
【００１７】
従って、図２に示すように、この実施例のテレビ放送用変換器１の入力端子２に地上波デジタルテレビ放送用受信アンテナ６を接続し、あるいはケーブルテレビ局に接続された図示しないセットトップボックスのスルー端子を接続するとともに、この実施例のテレビ放送用変換器１の出力端子５に通常の分配器７を介して従来のアナログチューナを内蔵した複数台のテレビ受像機８やデジタルチューナを内蔵したテレビ受像機９を接続し、上記電源部に例えばＡＣ１００Ｖ等の所定の商用電源を接続すると、入力端子２が、その受信アンテナ６やスルー端子から複数放送チャンネルの地上波デジタルテレビ放送信号を入力し、デジタル／アナログ変換部３が、その入力した複数放送チャンネルの地上波デジタルテレビ放送信号を放送チャンネル毎に周波数の異なる地上波アナログテレビ放送信号に変換し、Ｖ／Ｖ混合器４が、その互いに周波数の異なる複数のＶＨＦ地上波アナログテレビ放送信号を混合するとともに、そこにさらに、入力端子２が入力した複数放送チャンネルの地上波デジタルテレビ放送信号を混合し、出力端子５が、そのデジタル・アナログ混合高周波信号を出力するので、出力端子５に分配器７を介して接続された、従来のアナログチューナを内蔵した複数台のテレビ受像機８は各々、任意のチャンネルの地上波アナログテレビ放送をアナログ放送として受信することができ、またデジタルチューナを内蔵したテレビ受像機９も、任意のチャンネルの地上波デジタルテレビ放送をそのまま受信することができる。
【００１８】
それゆえ、この実施例のテレビ放送用変換器１によれば、視聴者は従来のテレビ受像機８を、デジタルチューナを内蔵したものに買い換えずに、それ自体が壊れて使用できなくなるまで使用し得るので、視聴者にとって費用が安価に済むと同時に、社会的に見ても従来のアナログチューナを内蔵したテレビ受像機が短期間で大量に不要となって廃棄物の処理の問題が生するのを回避でき、しかもそれ自体は未だ使用可能なテレビ受像機を大量に廃棄して社会資源に大きな無駄が生ずることも回避することができる。
【００１９】
しかも、この実施例のテレビ放送用変換器１によれば、デジタル／アナログ変換部３は、所定の放送チャンネルの地上波デジタルテレビ放送信号からビデオ信号を復調する地上波デジタルテレビ放送チューナ３ａ１〜３ａ８と、所定の周波数の高周波信号をそのビデオ信号で変調して地上波アナログテレビ放送信号を生成するＲＦコンバータ３ｂ１〜３ｂ８との組を、その所定の周波数を互いに異ならせて複数組有していることから、何れも市販されている地上波デジタルテレビ放送チューナ３ａ１〜３ａ８とＲＦコンバータ３ｂ１〜３ｂ８とを利用してこの実施例のテレビ放送用変換器１の大部分を構成できるので、この実施例のテレビ放送用変換器１を容易かつ安価に製造することができる。
【００２０】
図３は、この実施例のテレビ放送用変換器１を、多くのテレビ受像機を持つ家や、病院や、寮や、集合住宅等の、一棟の建物Ｂに多くのテレビ受像機８，９がある状況に適用した例を示し、図示のように、この実施例のテレビ放送用変換器１の入力端子２に地上波デジタルテレビ放送用受信アンテナ６を接続し、あるいはケーブルテレビ局に接続された図示しないセットトップボックスのスルー端子を接続するとともに、この実施例のテレビ放送用変換器１の出力端子５に通常の分配器７および屋内配線を介して、従来のアナログチューナを内蔵した複数台のテレビ受像機８やデジタルチューナを内蔵したテレビ受像機９を接続すれば、その出力端子５が、互いに周波数が異なる複数の地上波アナログテレビ放送信号が混合された信号を出力することから、このように従来のアナログチューナを内蔵したテレビ受像機８を出力端子５に複数台接続しても、各テレビ受像機８は従来通り任意の放送チャンネルを受信することができるので、多くのテレビ受像機を持つ家の他、病院や寮や集合住宅等の、一棟の建物に多くのテレビ受像機がある状況でも、この実施例のテレビ放送用変換器１が一台で、従来のアナログチューナを内蔵した全てのテレビ受像機８に共用し得て、そのような状況での全体的な負担も僅かで済ませることができる。
【００２１】
さらに、この実施例のテレビ放送用変換器１によれば、Ｖ／Ｖ混合器４は、入力端子２が入力した複数放送チャンネルの地上波デジタルテレビ放送信号を地上波アナログテレビ放送信号に混合するので、出力端子５に、デジタルチューナを内蔵したテレビ受像機９のアンテナ端子を接続した場合でも、この実施例のテレビ放送用変換器１をそのまま通過（スルー）した地上波デジタルテレビ放送信号を、そのデジタルチューナを内蔵したテレビ受像機９で受信できるので、上記のように一棟の建物Ｂに多くのテレビ受像機がある場合にそこにデジタルチューナを内蔵したテレビ受像機９と従来のアナログチューナを内蔵したテレビ受像機８とが混在していても、何れのテレビ受像機でも不都合なく地上波デジタルテレビ放送を視聴することができる。
【００２２】
以上、図示例に基づき説明したが、この考案は上述の例に限定されるものでなく、例えば、デジタル／アナログ変換部３は、放送チャンネル毎に分かれた複数の地デジチューナ３ａ１〜３ａ８の代わりに、一台または放送チャンネル数より少ない台数のチューナで複数の放送チャンネルの地上波デジタル放送信号を分割処理して、複数の放送チャンネルのビデオ信号を出力するものでも良い。また、複数の地デジチューナ３ａ１〜３ａ８はデジタルビデオ信号を出力し、ＲＦコンバータ３ｂ１〜３ｂ８はそのデジタルビデオ信号をアナログ信号に変換して高周波信号の変調に用いても良い。さらに、デジタル／アナログ変換部は、地上波デジタル放送信号をＵＨＦ地上波アナログ放送信号に変換しても良く、その場合は混合部に、ＶＨＦ／ＶＨＦ混合器４の代わりにＵＨＦ／ＵＨＦ混合器を用いれば良い。
【産業上の利用可能性】
【００２３】
かくしてこの考案のテレビ放送用変換器によれば、その出力部に従来のアナログチューナを内蔵したテレビ受像機のアンテナ端子を接続することで、複数放送チャンネルの地上波デジタルテレビ放送をそれぞれアナログ放送として受信することができることから、視聴者は従来のテレビ受像機を、デジタルチューナを内蔵したものに買い換えずに、それ自体が壊れて使用できなくなるまで使用し得るので、視聴者にとって費用が安価に済むと同時に、社会的に見ても従来のアナログチューナを内蔵したテレビ受像機が短期間で大量に不要となって廃棄物の処理の問題が生するのを回避でき、しかもそれ自体は未だ使用可能なテレビ受像機を大量に廃棄して社会資源に大きな無駄が生ずることも回避することができる。
【００２４】
しかもこの考案のテレビ放送用変換器によれば、その出力部が、互いに周波数が異なる複数の地上波アナログテレビ放送信号が混合された信号を出力することから、従来のアナログチューナを内蔵したテレビ受像機を出力部に複数台接続しても、各テレビ受像機は従来通り任意の放送チャンネルを受信することができるので、多くのテレビ受像機を持つ家の他、病院や寮や集合住宅等の、一棟の建物に多くのテレビ受像機がある状況でも、この考案のテレビ放送用変換器一台で、従来のアナログチューナを内蔵した全てのテレビ受像機に共用し得て、そのような状況での全体的な負担も僅かで済ませることができる。
【図面の簡単な説明】
【００２５】
【図１】この考案のテレビ放送用変換器の一実施例の構成を示すブロック線図である。
【図２】上記実施例のテレビ放送用変換器の使用方法の一例を示す説明図である。
【図３】上記実施例のテレビ放送用変換器の使用方法の他の一例を示す説明図である。
【符号の説明】
【００２６】
１  テレビ放送用変換器
２  入力端子
３  デジタル／アナログ変換部
３ａ１〜３ａ８  地上波デジタルテレビ放送（地デジ）チューナ
３ｂ１〜３ｂ８  高周波（ＲＦ）コンバータ
４  ＶＨＦ／ＶＨＦ（Ｖ／Ｖ）混合器
５  出力端子
６  受信アンテナ
７  分配器
８  アナログチューナを内蔵したテレビ受像機
９  デジタルチューナを内蔵したテレビ受像機
Ｂ  建物
【図１】
0003132870.tif 000003
【図２】
0003132870.tif 000004
【図３】
0003132870.tif 000005